(57)【要約】【課題】安価で、様々な機種別対応が可能なインクジェット記録ヘッドを提供する。【解決手段】インク供給栓１８とインク排出栓２４に係止部２８，３１が設けられ、ケース部材１４の挿入孔２０にインク供給栓１８が圧入され、インク排出挿入孔２３にインク排出栓２４が圧入され、フィルムカバー３２のインク供給栓１８とインク排出栓２４と対応する箇所にそれぞれ抜け止め片３３，３５が設けられ、抜け止め片３３がインク供給栓１８の係止部２８と、抜け止め片３５がインク排出栓２４の係止部３１とそれぞれ係合する。【選択図】図５
2014046607.tif 000002
【特許請求の範囲】
【請求項１】
記録媒体の幅方向に沿って往復移動するキャリッジと、
前記キャリッジの重力方向下側の位置に搭載された記録ヘッド部と、
前記キャリッジの前記記録ヘッド部よりも重力方向上側の位置に搭載された圧力ダンパ部を備え、
前記圧力ダンパ部は、ケース部材に設けられた凹部の前面開口部をフレキシブルなフィルム部材で閉塞することにより、前記ケース部材の内部にインク貯留室が形成され、インクタンクから延びたタンク側インク供給チューブの先端部が差し込まれる圧力ダンパ部インク供給栓と、前記インク貯留室に貯留されているインクを前記記録ヘッド部に供給するヘッド側インク供給チューブの基端部が差し込まれる圧力ダンパ部インク排出栓と、前記フィルム部材を覆って前記ケース部材に取り付けられるフィルムカバーを備えたインクジェット記録ヘッドにおいて、
前記インク供給栓と前記インク排出栓にそれぞれ係止部が設けられ、
前記ケース部材にインク供給栓挿入孔とインク排出栓挿入孔が形成され、前記インク供給栓挿入孔に前記インク供給栓が圧入され、前記インク排出挿入孔に前記インク排出栓が圧入されて、
前記フィルムカバーの前記インク供給栓と前記インク排出栓と対応する箇所にそれぞれ抜け止め片が設けられ、前記フィルムカバーを前記ケース部材に取り付けることにより、前記抜け止め片が前記インク供給栓の係止部と前記インク排出栓の係止部にそれぞれ係合することを特徴とするインクジェット記録ヘッド。
【請求項２】
請求項１に記載のインクジェット記録ヘッドにおいて、
前記インク供給栓と前記インク排出栓に設けられる係止部が、鍔部あるいは（ならびに）段差部であることを特徴とするインクジェット記録ヘッド。
【請求項３】
請求項１に記載のインクジェット記録ヘッドにおいて、
前記フィルムカバー上の対向する位置に前記抜け止め片が突設されていることを特徴とするインクジェット記録ヘッド。
【請求項４】
請求項１に記載のインクジェット記録ヘッドにおいて、
前記インク供給栓と前記インク排出栓と前記フィルムカバーが、前記ケース部材に対して取り外し可能に取り付けられていることを特徴とするインクジェット記録ヘッド。
【請求項５】
請求項１に記載のインクジェット記録ヘッドにおいて、
前記ケース部材の重力方向上側で一方に端部に、重力方向と直交するように外側に突出した突出部が設けられ、前記突出部の内側には前記インク貯留室と連通したインク排出流路部が形成され、
前記突出部の重力方向下側でかつ前記ケース部材の横の位置に形成された段差部の所に前記インク排出栓が配置されていることを特徴とするインクジェット記録ヘッド。
【請求項６】
請求項５に記載のインクジェット記録ヘッドにおいて、
前記ケース部材の重力方向上側に前記インク供給栓挿入孔が形成され、前記インク供給栓挿入孔ならびに前記インク排出流路部の重力方向下側に前記インク貯留室が設けられていることを特徴とするインクジェット記録ヘッド。
【請求項７】
インクジェット記録ヘッドを備えたインクジェット記録装置において、
前記インクジェット記録ヘッドが請求項１ないし請求項６のいずれか１項に記載のインクジェット記録ヘッドであることを特徴とするインクジェット記録装置。
【発明の詳細な説明】
【技術分野】
【０００１】
本発明は、インクジェット記録装置に用いられるインクジェット記録ヘッドに係り、特に往復移動するキャリッジに記録ヘッド部の他にインクを貯留してインクの圧力変動を抑制するための圧力ダンパ部を搭載したインクジェット記録ヘッドに関するものである。
【背景技術】
【０００２】
例えば業務用のインクジェット記録装置においては、多量印刷に対応するため、大容量のインクタンクを装備する必要があり、そのためインクタンクはインクジェット記録装置の本体側に設けられたタンクホルダに装着している。
【０００３】
一方、記録ヘッド部を搭載するキャリッジには、その記録ヘッド部の重力方向上側に所定量のインクを貯留することのできる圧力ダンパ部も一緒に搭載される。そしてインクタンクと圧力ダンパ部の間はタンク側インク供給チューブで接続され、圧力ダンパ部と記録ヘッド部の間はヘッド側インク供給チューブで接続されている。
【０００４】
圧力ダンパ部は、ケース部材の前面にくり抜いた状態の凹部が形成され、その凹部の前面開口部をフレキシブルな合成樹脂製のフィルム部材で閉塞することにより、ケース部材の内部にインク貯留室が形成され、インクの圧力変動をこのインク貯留室で抑制する構造になっている。
【０００５】
また、圧力ダンパ部には、前記タンク側インク供給チューブの先端部を差し込んで、前記インク貯留室と連通するためのインク供給栓と、前記ヘッド側インク供給チューブの基端部を差し込んで、前記インク貯留室と連通するためのインク排出栓を設ける必要がある。
【０００６】
この圧力ダンパ部を設けたインクジェット記録ヘッドに関しては、例えば特開２００３−２１１６８８号公報（特許文献１）あるいは特開２００９−１８４１８３号公報（特許文献２）などを挙げることができる。
【発明の概要】
【発明が解決しようとする課題】
【０００７】
本発明者らは先に、前記インク供給栓とインク排出栓をケース部材の所定位置にインサートモールドする方法を検討した。  
しかし、この方法であると、インクジェット記録装置の機種などの違いによってインク供給栓やインク排出栓の形状、寸法などが多少違う場合に、機種別にそれぞれインク供給栓とインク排出栓をインサートモールドしたケース部材を準備する必要があり、そのためにコスト高を招き、生産効率が良くないという問題を有している。
【０００８】
本発明の目的は、このような技術的背景に基づいてなされたものであり、安価で、様々な機種別対応が可能なインクジェット記録ヘッドを提供することにある。
【課題を解決するための手段】
【０００９】
前記目的を達成するため、本発明の第１の手段は、
記録媒体の幅方向に沿って往復移動するキャリッジと、
前記キャリッジの重力方向下側の位置に搭載された記録ヘッド部と、
前記キャリッジの前記記録ヘッド部よりも重力方向上側の位置に搭載された圧力ダンパ部を備え、
前記圧力ダンパ部は、ケース部材に設けられた凹部の前面開口部をフレキシブルなフィルム部材で閉塞することにより、前記ケース部材の内部にインク貯留室が形成され、インクタンクから延びたタンク側インク供給チューブの先端部が差し込まれる圧力ダンパ部インク供給栓と、前記インク貯留室に貯留されているインクを前記記録ヘッド部に供給するヘッド側インク供給チューブの基端部が差し込まれる圧力ダンパ部インク排出栓と、前記フィルム部材を覆って前記ケース部材に取り付けられるフィルムカバーを備えたインクジェット記録ヘッドを対象とするものである。
【００１０】
そして、前記インク供給栓と前記インク排出栓にそれぞれ係止部が設けられ、
前記ケース部材にインク供給栓挿入孔とインク排出栓挿入孔が形成され、前記インク供給栓挿入孔に前記インク供給栓が圧入され、前記インク排出挿入孔に前記インク排出栓が圧入されて、
前記フィルムカバーの前記インク供給栓と前記インク排出栓と対応する箇所にそれぞれ抜け止め片が設けられ、前記フィルムカバーを前記ケース部材に取り付けることにより、前記抜け止め片が前記インク供給栓の係止部と前記インク排出栓の係止部にそれぞれ係合することを特徴とするものである。
【００１１】
本発明の第２の手段は前記第１の手段において、
前記インク供給栓と前記インク排出栓に設けられる係止部が、鍔部あるいは（ならびに）段差部であることを特徴とするものである。
【００１２】
本発明の第３の手段は前記第１の手段において、
前記フィルムカバー上の対向する位置に前記抜け止め片が突設されていることを特徴とするものである。
【００１３】
本発明の第４の手段は前記第１の手段において、
前記インク供給栓と前記インク排出栓と前記フィルムカバーが、前記ケース部材に対して取り外し可能に取り付けられていることを特徴とするものである。
【００１４】
本発明の第５の手段は前記第１の手段において、
前記ケース部材の重力方向上側で一方に端部に、重力方向と直交するように外側に突出した突出部が設けられ、前記突出部の内側には前記インク貯留室と連通したインク排出流路部が形成され、
前記突出部の重力方向下側でかつ前記ケース部材の横の位置に形成された段差部の所に前記インク排出栓が配置されていることを特徴とするものである。
【００１５】
本発明の第６の手段は前記第５の手段において、
前記ケース部材の重力方向上側に前記インク供給栓挿入孔が形成され、前記インク供給栓挿入孔ならびに前記インク排出流路部の重力方向下側に前記インク貯留室が設けられていることを特徴とするものである。
【００１６】
本発明の第７の手段は、
インクジェット記録ヘッドを備えたインクジェット記録装置において、
前記インクジェット記録ヘッドが前記第１ないし第６の手段のインクジェット記録ヘッドであることを特徴とするものである。
【発明の効果】
【００１７】
本発明は前述のような構成になっており、安価で、様々な機種別対応が可能なインクジェット記録ヘッドを提供することができる。
【図面の簡単な説明】
【００１８】
【図１】本発明の実施例に係る記録ヘッド・圧力ダンパ集合モジュールの全体構成を示す正面概略図である。
【図２】その記録ヘッド・圧力ダンパ集合モジュールの断面概略図である。
【図３】その記録ヘッド・圧力ダンパ集合モジュールの上面概略図である。
【図４（ａ）】その記録ヘッド・圧力ダンパ集合モジュールを分解した状態でのフレームと記録ヘッドモジュールの正面図である。
【図４（ｂ）】その記録ヘッド・圧力ダンパ集合モジュールに用いるカバーの正面図である。
【図４（ｃ）】その記録ヘッド・圧力ダンパ集合モジュールに用いる圧力ダンパモジュール４の正面図である。
【図５】その記録ヘッド・圧力ダンパ集合モジュールに用いられる圧力ダンパモジュールを分解した状態での正面図である。
【図６】その圧力ダンパモジュールの組み立て後の正面図である。
【図７】その圧力ダンパモジュールに用いられるフィルムカバーを裏返しにした状態での斜視図である。
【図８】記録ヘッド・圧力ダンパ集合モジュールにおけるインク供給チューブならびに空気抜きチューブの接続状態を説明するための図である。
【図９】本発明の実施例で用いられる熱伝導板の斜視図である。
【図１０】本発明の実施例に係るインクジェット記録装置の全体構成を示す概略斜視図である。
【図１１】そのインクジェット記録装置に用いるキャリッジの斜視図である。
【発明を実施するための形態】
【００１９】
次に本発明の実施例を図面と共に説明する。図１０は本発明の実施例に係るインクジェット記録装置の全体構成を示す概略斜視図、図１１（ａ），（ｂ）はそのインクジェット記録装置に用いるキャリッジの斜視図である。
【００２０】
図１０に示すように、用紙供給部７１から高速で繰り出された連続した記録媒体（連続用紙）７２はインクジェット記録部７３で所望の画像が印刷され、用紙回収部７４で巻き取り回収される。
【００２１】
インクジェット記録部７３は、インクジェット記録装置の本体側に設置されたインクタンク７５、記録媒体７２上でそれの幅方向に延びた直動ガイド７６、その直動ガイド７６に沿って記録媒体７２の幅方向（Ｘ方向）に高速で往復移動するキャリッジ７７ならびにケーブルベア（登録商標）７８などを備えている。
【００２２】
図１１（ａ）に示すように、キャリッジ７７の記録媒体７２と対向する平面部７８には、記録媒体７２の搬送方向（Ｙ方向  図１０参照）に沿って長方形に形成されたインク滴吐出開口部７９が千鳥状でかつ多数列に形成されている。そしてこの各インク滴吐出開口部７９に記録ヘッド・圧力ダンパ集合モジュール８０の下端部が嵌合・固定されている（図１１（ｂ）参照）。
【００２３】
図１は本発明の実施例に係る記録ヘッド・圧力ダンパ集合モジュール８０の全体構成を示す正面概略図、図２はその記録ヘッド・圧力ダンパ集合モジュール８０の断面概略図、図３はその記録ヘッド・圧力ダンパ集合モジュール８０の上面概略図、図４（ａ）はその記録ヘッド・圧力ダンパ集合モジュール８０を分解した状態でのフレーム１と記録ヘッドモジュール３の正面図、図４（ｂ）はその記録ヘッド・圧力ダンパ集合モジュール８０に用いるカバー２の正面図、図４（ｃ）はその記録ヘッド・圧力ダンパ集合モジュール８０に用いる圧力ダンパモジュール４の正面図である。なお、図１はカバー２を外した状態での図である。
【００２４】
図４（ａ）〜（ｃ）に示す略箱型をしたフレーム１とそれの前面開口部を閉塞するカバー２で形成される内側空間部の重力方向（垂直方向）下側に記録ヘッドモジュール３が、また、内側空間部の重力方向（垂直方向）上側に圧力ダンパモジュール４が、それぞれ挿入・設置される。
【００２５】
前記カバー２はインクミストの付着防止のために設けられており、耐インク性のステンレススチールで構成されている。このように耐インク性の材料を用いることにより、様々な組成のインクを使用しても腐食し難い構成になっている。
【００２６】
図１に示すように、フレーム１の下部にはヘッドベース５がフレーム１にスポット溶接により取り付けられており、ヘッドベース５には記録ヘッドモジュール３を挿入するための開口部６が形成されている。また、ヘッドベース５の両端部には、この記録ヘッド・圧力ダンパ集合モジュール８０をキャリッジ７７に固定する（図１１（ｂ）参照）ためのモジュール固定用ネジ７が下方に向いて取り付けられている。
【００２７】
記録ヘッドモジュール３は図４（ａ）に示すように、記録ヘッド本体８、その記録ヘッド本体８に接続されたヘッド放熱板９ならびに配線基板１０、記録ヘッド本体８の図面に向かって右側端部に立設されたヘッド部インク供給栓１１、記録ヘッド本体８の図面に向かって左側端部に立設されたヘッド部空気抜き栓１２、配線基板１０に接続されたコネクタ４３ならびにヘッドカバー１３などから構成され、図に示すような配置、接続関係になっている。
【００２８】
前記記録ヘッド本体８の下面には、インク滴を吐出する多数のノズル孔が列設されている。また、記録ヘッド本体８の内部には、ノズルプレート、圧力室プレート、リストリクタプレート、ダイアフラムプレート、剛性プレートならびに圧電素子群などが収容・設置されている（いずれも図示せず）。
【００２９】
ヘッドベース５と記録ヘッド本体８の隙間を位置合わせしたのちにネジで固定し、インクシーリングを兼ねた接着剤でヘッドベース５と記録ヘッド本体８を接着固定する。
【００３０】
前記ヘッド放熱板９は本実施例の場合図２に示すように前後２枚設けられており、記録ヘッド本体８内の駆動部に設けられている圧電素子駆動ＩＣなどから発生する熱を有効に逃がす機能を有している。放熱の構造については、図２を用いて後で説明する。
【００３１】
図４（ａ）に示すように、前記ヘッド部インク供給栓１１とヘッド部空気抜き栓１２は記録ヘッド本体８の両端部に立設されており、図示していないがヘッド部インク供給栓１１は記録ヘッド本体８の内部に形成されたインク流路の一端に連通しており、ヘッド部空気抜き栓１２はそのインク流路の他端に連通している。
【００３２】
前記ヘッドカバー１３は、インクジェット記録装置の出荷運搬時などに記録ヘッド本体８のノズル面を保護するために用いられており、図１に示すようにヘッドカバー１３の両端部はモジュール固定用ネジ７を流用して着脱可能に取り付けられている。このヘッドカバー１３は、インクジェット記録装置を製品として出荷するときには取り外される。
【００３３】
前記圧力ダンパモジュール４は、ポリエチレンなどの合成樹脂の成形体からなるケース部材１４を有し、そのケース部材１４の前面の大部分にくり抜いた状態の凹部１５（図５参照）が形成され、その凹部１５の前面開口部がフレキシブルな合成樹脂製のフィルム部材１６で閉塞されることにより、ケース部材１４の内部にインク貯留室１７が形成される。
【００３４】
ケース部材１４の重力方向上部の一方の端部には、圧力ダンパ部インク供給栓１８が設けられている。また、同じく重力方向上部の他方の端部には、圧力ダンパ部空気抜き栓１９が設けられている。
【００３５】
図５に示すように、ケース部材１４の重力方向上部の一方の端部には、圧力ダンパ部インク供給栓１８を圧入・装着するためのインク供給栓挿入孔２０が形成され、それの下端開口部は凹部１５（インク貯留室１７）に連通している。
【００３６】
また、ケース部材１４の重力方向上部の他方の端部には、重力方向（垂直方向）と直交するように外側に突出した突出部２１が設けられ、この突出部２１の内側には凹部１５（インク貯留室１７）と連通したインク排出流路部２２と、それに連なるインク排出栓挿入孔２３が形成されている。このインク排出栓挿入孔２３には、圧力ダンパ部インク排出栓２４が圧入・装着される。従って、圧力ダンパ部インク排出栓２４は突出部２１の下側でかつケース部材１４の横の位置に形成された段差部４４（図４（ｃ）〜図６参照）の所に配置されている。
【００３７】
ケース部材１４に形成されたインク供給栓挿入孔２０の下端開口部とインク排出流路部２２の位置は、重力方向（垂直方向）において略同じレベル（略同じ高さ）にあって、それらの重力方向下側に凹部１５（インク貯留室１７）がある形態になっている。
【００３８】
本実施例の場合、図５ならびに図６に示すように、圧力ダンパ部インク供給栓１８の下端部にはＯリング２７が装着され、途中の部分に鍔部２８が設けられている。この圧力ダンパ部インク供給栓１８の上部には輸送時用のキャップ２６が嵌着されるようになっており、キャップ２６の下端部にはＯリング２９が装着されている。このキャップ２６は記録ヘッドの輸送時に使用されるもので、記録ヘッドを記録装置に取り付ける際にはインク供給栓１８から取り外される。
【００３９】
この圧力ダンパ部インク供給栓１８の下端部がケース部材１４に形成されているインク供給栓挿入孔２０に圧入されて、圧力ダンパ部インク供給栓１８の鍔部２８がケース部材１４の上面に当接している（図６参照）。
【００４０】
一方、圧力ダンパ部インク排出栓２４の上端部にはＯリング３０が装着され、圧力ダンパ部インク排出栓２４の途中の部分に円周状の段差部３１が形成されている。この圧力ダンパ部インク排出栓２４をケース部材１４のインク排出栓挿入孔２３に圧入することにより、段差部３１が突出部２１の下面と略同一面の所で露呈する（図６参照）。
【００４１】
本実施例では、インク供給栓１８とインク排出栓２４がケース部材１４に対して圧入式になっており、前述したインク供給栓とインク排出栓をケース部材にインサートモールドする構成のものよりも、多機種になってもケース部材１４の共用化が図れ、コストの低減ならびに組み立て作業の効率化が可能となる。
【００４２】
前述のようにインク貯留室１７の一面をフィルム部材１６で構成することにより、そのフィルム部材１６の柔軟性を利用してダンパ機能を発揮しているが、そのフィルム部材１６の過度の伸びを抑制するために、フィルム部材１６の外側にフィルムカバー３２が配置されている（図５、図６参照）。
【００４３】
フィルムカバー３２は金属板あるいは合成樹脂成形体などから構成され、図５に示すように平面形状がケース部材１４と略同形になっており、フィルム部材１６の上面を覆うようにしてケース部材１４に固定されている。
【００４４】
図７は、フィルムカバー３２を裏返しにした状態での斜視図である。  
同図に示されているように、フィルムカバー３２の圧力ダンパ部インク供給栓１８と対応する位置には、インク供給栓抜け止め片３３が垂設され、それの下端側には略円弧状の切欠部３４が形成されている。また、フィルムカバー３２の圧力ダンパ部インク排出栓２４と対応する位置には、インク排出栓抜け止め片３５が垂設され、それの下端側には略円弧状の切欠部３６が形成されている。図７に示すように、前記インク供給栓抜け止め片３３とインク排出栓抜け止め片３５は、斜向かいの状態で対向している。
【００４５】
このフィルムカバー３２をケース部材１４（フィルム部材１６）の上に被せて固定すると、インク供給栓抜け止め片３３が圧力ダンパ部インク供給栓１８の外周に嵌まり込み、インク供給栓１８の鍔部２８と係合して、インク供給栓１８の抜け止めができる。また、インク排出栓抜け止め片３５が圧力ダンパ部インク排出栓２４の外周に嵌まり込み、インク排出栓２４の段差部３１と係合して、インク排出栓２４の抜け止めができる（図６参照）。
【００４６】
本実施例では、インク供給栓１８に鍔部２８を設け、インク排出栓２４に段差部３１を設けたが、反対にインク供給栓１８に段差部を設け、インク排出栓２４に鍔部を設けることも可能である。また、インク供給栓１８とインク排出栓２４の両方に鍔部を設けたり、あるいは段差部を設けたりすることも可能である。
【００４７】
このように本実施例では、フィルムカバー３２をインク供給栓１８ならびにインク排出栓２４の抜け止め手段に利用しているから、部品点数ならびに組み立て工数の削減、コストの低減などが図れる。
【００４８】
図８に示すように、ヘッド部インク供給栓１１と圧力ダンパ部インク排出栓２４の間は、フレキシブルなヘッド側インク供給チューブ３７ａで繋がれている。また、ヘッド部空気抜き栓１２と圧力ダンパ部空気抜き栓１９の間は、フレキシブルな空気抜きチューブ３８で繋がれている。図１０に示しているように、記録装置の本体側に設けられたインクタンク７５側のインク排出栓と圧力ダンパ部インク供給栓１８の間は、フレキシブルなタンク側インク供給チューブ３７ｂで繋がれている。
【００４９】
インクをインクジェット記録ヘッドに供給すると、圧力ダンパモジュール４ならびに記録ヘッドモジュール３内にある空気はヘッド部空気抜き栓１２、空気抜きチューブ３８ならびに圧力ダンパ部空気抜き栓１９を通してヘッド外に排出され、その代わりにインクジェット記録ヘッド内にインクがチャージされる。
【００５０】
このようにしてインクのチャージが終了した後の状態では、ヘッド側インク供給チューブ３７ａ内は勿論のこと、空気抜きチューブ３８内にもインクが充満された状態になっており、しかもヘッド側インク供給チューブ３７ａと空気抜きチューブ３８はともに柔軟性（フレキシブル性）を有している。
【００５１】
また図８に示すように、記録ヘッド本体８の両端部にそれぞれインク供給栓１１と空気抜き栓１２が設けられている関係上、それらと接続されるヘッド側インク供給チューブ３７ａならびに空気抜きチューブ３８を、記録ヘッド本体８の側面とフレーム１の側板の間の空間部３９内に余裕をもって配置することが可能となる。
【００５２】
このようなことから、フィルム部材１６を有するインク貯留室１７の他に、記録ヘッド本体８の近くにあるフレキシブルなヘッド側インク供給チューブ３７ａならびに空気抜きチューブ３８もダンパ効果を発揮することができる。
【００５３】
さらに図８に示すように、記録ヘッド本体８とヘッド側インク供給チューブ３７ａと空気抜きチューブ３８の配置は、重力方向と直交する方向、すなわち横並びの方向であるから、キャリッジ７７の高さを低く抑えることができ、キャリッジ７７の慣性力の低減が図れる。
【００５４】
記録ヘッド本体８内の駆動部に設けられている圧電素子駆動ＩＣなどから発生する熱を有効に放散するため、図２に示すようにフレーム１とそれと対向するヘッド放熱板９ａの間、ならびにカバー２とそれと対向するヘッド放熱板９ｂの間には、それぞれ熱伝導板３９が介在されている。
【００５５】
この熱伝導板３９は例えば銅やアルミニウムなどの熱伝導性の良好な板材で構成され、図９に示すように、基端部４０と、自由端側に設けられた弾接部４１と、基端部４０と弾接部４１を連ねた連結部４２から構成されて、基端部４０と弾接部４１はほぼ平行に配置され、連結部４２は基端部４０と弾接部４１の間において傾斜している。
【００５６】
インクジェット記録ヘッドを組み立てるとき、２枚の熱伝導板３９の基端部４０はフレーム１とカバー２の対向位置にスポット溶接などで数個所固定され、それにより２枚の熱伝導板３９の連結部４２どうしの間隔は先細り状になっている。この状態で図２ならびに図４（ａ）に示すように、記録ヘッドモジュール３をヘッド放熱板９側を先にして、矢印Ａ方向にヘッドベース５の開口部６から挿入する。
【００５７】
ヘッド放熱板９ａ，９ｂの先端部が対向して先細り状になっている連結部４２の傾斜面に当接し、さらに記録ヘッドモジュール３を所定の位置まで挿入することにより、連結部４２が互いに若干外側に押し拡げられて、連結部４２に弾性復元力が発生し、その弾性力により熱伝導板３９の弾接部４１がヘッド放熱板９ａ，９ｂに良好に密着する（図２参照）。
【００５８】
従ってヘッド放熱板９ａ，９ｂからの熱は２枚の熱伝導板３９をそれぞれ通り、ヘッド放熱板９ａ，９ｂや熱伝導板３９よりも広い表面積を有するフレーム１ならびにカバー２から放散される。従って、ヘッド部で発生した熱が内部でこもることによって起こる印刷上の各種トラブル(例えば記録ヘッド本体の損傷ならびにそれに伴うインク滴の吐出不良など)が解消される。
【符号の説明】
【００５９】
３：記録ヘッドモジュール，
４：圧力ダンパモジュール，
１１：ヘッド部インク供給栓，
１２：ヘッド部空気抜き栓，
１４：ケース部材，
１５：凹部，
１６：フィルム部材，
１７：インク貯留室，
１８：圧力ダンパ部インク供給栓，
１９：圧力ダンパ部空気抜き栓，
２０：空気抜き栓挿入孔，
２１：突出部，
２２：インク排出流路部，
２４：圧力ダンパ部インク排出栓，
３７ａ：ヘッド側インク供給チューブ，
３８：空気抜きチューブ，
７２：記録媒体，
７３：インクジェット記録部，
７７：キャリッジ，
８０：記録ヘッド・圧力ダンパ集合モジュール，
Ｘ：記録媒体の幅方向。
【先行技術文献】
【特許文献】
【００６０】
【特許文献１】特開２００３−２１１６８８号公報
【特許文献２】特開２００９−１８４１８３号公報
【図１】
2014046607.tif 000003
【図２】
2014046607.tif 000004
【図３】
2014046607.tif 000005
【図４（ａ）】
2014046607.tif 000006
【図４（ｂ）】
2014046607.tif 000007
【図４（ｃ）】
2014046607.tif 000008
【図５】
2014046607.tif 000009
【図６】
2014046607.tif 000010
【図７】
2014046607.tif 000011
【図８】
2014046607.tif 000012
【図９】
2014046607.tif 000013
【図１０】
2014046607.tif 000014
【図１１】
2014046607.tif 000015